(57)【要約】【課題】構造が簡単で安価に製造することのできるピッチ変換用コネクタを提供する。【解決手段】ピッチ変換基板６を表面に各端子１，３に接触する複数の導電パターン６ａを形成することによって各導電パターン６ａを介して各第１の端子１と各第２の端子３とを互いに導通するようにしたので、ピッチ変換基板６を複数の部品によって形成する必要がなく、構造が簡単で安価に製造することができる。【選択図】  図２
2004335258.tif 000002
【特許請求の範囲】
【請求項１】
一端を一方の接続対象物に接続される複数の第１の端子と、各第１の端子を幅方向に所定間隔をおいて保持する第１のハウジングと、一端を他方の接続対象物に接続される複数の第２の端子と、各第２の端子を幅方向に所定間隔をおいて保持する第２のハウジングとを備え、互いに端子間ピッチの異なる各第１の端子と各第２の端子とを接続するピッチ変換用コネクタにおいて、
前記各ハウジング間に各第１の端子の他端と各第２の端子の他端に接続されるピッチ変換基板を備え、
ピッチ変換基板には、一端側及び他端側が各第１の端子及び各第２の端子のピッチにそれぞれ対応し、各第１の端子及び各第２の端子に接触することにより各第１の端子と各第２の端子とを導通する複数の導電部を設けた
ことを特徴とするピッチ変換用コネクタ。
【請求項２】
前記ピッチ変換基板を表面に各導電部を有するプリント基板によって形成した
ことを特徴とする請求項１記載のピッチ変換用コネクタ。
【請求項３】
前記第１のハウジングと第２のハウジングとの間に第２のハウジングに係合する中間ハウジングを設け、
ピッチ変換基板には中間ハウジングの所定部分に係止することによって第２の端子との接続解除方向への移動を規制する係止部を設けた
ことを特徴とする請求項１または２記載のピッチ変換用コネクタ。
【発明の詳細な説明】
【０００１】
【発明の属する技術分野】
本発明は、例えば一対の回路基板同士または電子部品同士を接続するためのピッチ変換用コネクタに関するものである。
【０００２】
【従来の技術】
従来、この種のピッチ変換用コネクタとしては、一端を一方の接続対象物に接続される複数の第１の端子と、各第１の端子を幅方向に所定間隔をおいて保持する第１のハウジングと、一端を他方の接続対象物に接続される複数の第２の端子と、各第２の端子を幅方向に所定間隔をおいて保持する第２のハウジングと、各ハウジング間に配置されるピッチ変換部品とを備え、ピッチ変換部品によって互いに端子間ピッチの異なる各第１の端子と各第２の端子とを接続するようにしたものが知られている（例えば、特許文献１参照。）。
【０００３】
また、前記ピッチ変換部品は、合成樹脂からなる絶縁枠と、絶縁枠によって保持されたＦＰＣ等の配線基板と、絶縁枠の両端にそれぞれ設けられた複数の端子とからなり、両端の各端子を配線基板に設けた複数の導電部によって導通している。
【０００４】
【特許文献１】
特開平６−３３３６５２号公報
【０００５】
【発明が解決しようとする課題】
しかしながら、従来のピッチ変換用コネクタでは、ピッチ変換部品を絶縁枠、配線基板及び複数の端子によって形成しているため、部品点数が多く構造が複雑であるという問題点があった。また、ピッチ変換部品の製造に際しては、絶縁枠に配線基板を組付け、配線基板の各導電部に各端子を接続するという複雑な工程を要するため、組立作業が繁雑となり、生産コストが高くつくという問題点があった。
【０００６】
本発明は前記問題点に鑑みてなされたものであり、その目的とするところは、構造が簡単で安価に製造することのできるピッチ変換用コネクタを提供することにある。
【０００７】
【課題を解決するための手段】
本発明は前記目的を達成するために、請求項１では、一端を一方の接続対象物に接続される複数の第１の端子と、各第１の端子を幅方向に所定間隔をおいて保持する第１のハウジングと、一端を他方の接続対象物に接続される複数の第２の端子と、各第２の端子を幅方向に所定間隔をおいて保持する第２のハウジングとを備え、互いに端子間ピッチの異なる各第１の端子と各第２の端子とを接続するピッチ変換用コネクタにおいて、前記各ハウジング間に各第１の端子の他端と各第２の端子の他端に接続されるピッチ変換基板を備え、ピッチ変換基板には、一端側及び他端側が各第１の端子及び各第２の端子のピッチにそれぞれ対応し、各第１の端子及び各第２の端子に接触することにより各第１の端子と各第２の端子とを導通する複数の導電部を設けている。これにより、ピッチ変換基板に形成した各導電部を介して各第１の端子と各第２の端子とが互いに導通することから、ピッチ変換基板を複数の部品によって形成する必要がなく、構造が簡単で安価に製造することが可能となる。
【０００８】
また、請求項２では、請求項１記載のピッチ変換用コネクタにおいて、前記ピッチ変換基板を表面に各導電部を有するプリント基板によって形成している。これにより、請求項１の作用に加え、ピッチ変換基板を一般の回路基板と同様に製造することが可能となる。
【０００９】
また、請求項３では、請求項１または２記載のピッチ変換用コネクタにおいて、前記第１のハウジングと第２のハウジングとの間に第２のハウジングに係合する中間ハウジングを設け、ピッチ変換基板には中間ハウジングの所定部分に係止することによって第２の端子との接続解除方向への移動を規制する係止部を設けている。これにより、請求項１または２の作用に加え、ピッチ変換基板の係止部によってピッチ変換基板の第２の端子との接続解除方向への移動が規制されることから、ピッチ変換基板が第２の端子から外れることがない。
【００１０】
【発明の実施の形態】
図１乃至図３は本発明の一実施形態を示すものであり、図１はピッチ変換用コネクタの側面断面図、図２はその要部正面断面図、図３はその分解側面断面図である。
【００１１】
このコネクタは、一端を一方の接続対象物としての基板Ａに接続される複数の第１の端子１と、各第１の端子１を幅方向に所定間隔をおいて保持する第１のハウジング２と、一端を他方の接続対象物としての基板Ｂに接続される複数の第２の端子３と、各第２の端子３を幅方向に所定間隔をおいて保持する第２のハウジング４と、各ハウジング２，４間に配置される中間ハウジング５と、各第１の端子１と各第２の端子３とを接続するピッチ変換基板６とから構成されている。
【００１２】
各第１の端子１は導電性の金属板からなり、互いに前後方向に間隔をおいて計２列に配置されている。各第１の端子１の一端側には基板Ａとの接続部１ａが設けられ、各接続部１ａはそれぞれ前方または後方に屈曲するように形成されている。また、各第１の端子１の他端側にはピッチ変換基板６との接触部１ｂが設けられ、各接触部１ｂはそれぞれピッチ変換基板６に向かって突出するように形成されている。
【００１３】
第１のハウジング２は合成樹脂等の絶縁性部材からなり、その下端にはピッチ変換基板６の一端側が挿入される開口部２ａが設けられている。
【００１４】
各第２の端子３は導電性の金属板からなり、互いに前後方向に間隔をおいて計２列に配置されている。この場合、各第１の端子１のピッチＰ１  は各第２の端子３のピッチＰ２  よりも狭くなっている。各第２の端子３の一端側には基板Ｂとの接続部２ａが設けられ、各接続部２ａはそれぞれ下方に延びるように形成されている。また、各第２の端子３の他端側にはピッチ変換基板６との接触部２ｂが設けられ、各接触部２ｂは第１の端子１と同様、それぞれピッチ変換基板６に向かって突出するように形成されている。
【００１５】
第２のハウジング４は合成樹脂等の絶縁性部材からなり、その上端にはピッチ変換基板６の一端側が挿入される開口部４ａが設けられている。また、第２のハウジング４の前面側及び背面側には、それぞれ中間ハウジング５と係合するための突起４ｂが設けられている。
【００１６】
中間ハウジング５は合成樹脂等の絶縁性部材からなり、その上端側及び下端側には第１のハウジング２及び第２のハウジング４がそれぞれ挿入される凹部５ａ，５ｂが設けられている。中間ハウジング５内には各凹部５ａ，５ｂ間を貫通する孔５ｃが設けられ、孔５ｃにはピッチ変換基板６が挿通するようになっている。この場合、下端側の凹部５ｂは孔５ｃよりも幅が広く形成されている。また、中間ハウジング５の下端側には第２のハウジング４の各突起４ｂを係合する孔５ｄが設けられている。
【００１７】
ピッチ変換基板６はプリント基板によって形成され、その表面には第１の端子１と第２の端子３とを導通する複数の導電パターン６ａが形成されている。各導電パターン６ａは、その一端側のピッチが各第１の端子１のピッチＰ１  に対応し、他端側のピッチが各第２の端子３のピッチＰ２  に対応するように形成されている。また、ピッチ変換基板６の下端側には側方に突出する係止部６ｂが設けられ、係止部６ｂの上端は中間ハウジング５の下端側の凹部５ｂの上面５ｂ′に係止するようになっている。
【００１８】
以上のように構成されたコネクタにおいて、第１のハウジング２は各第１の端子１の接続部１ａを基板Ａに半田付けによって接続することにより、基板Ａに固定される。一方、第２のハウジング４においては、上端側にピッチ変換基板６が挿入され、各第２の端子３の接触部２ｂにはそれぞれピッチ変換基板６の各導電パターン６ａの他端が接触している。また、第２のハウジング４は中間ハウジング５の下端側の凹部５ｂに挿入され、各突起４ｂと各孔５ｄとの係合により中間ハウジング５が固定されている。このように中間ハウジング５及びピッチ変換基板６が組付けられた第２のハウジング４は、各第２の端子３の接続部３ａを基板Ｂに半田付けによって接続することにより、基板Ｂに固定される。
【００１９】
次に、第１のハウジング２を中間ハウジング５の上端側の凹部５ａに挿入すると、ピッチ変換基板６が各第１の端子１に接続され、各第１の端子１の接触部１ｂがそれぞれピッチ変換基板６の各導電パターン６ａの一端に接触する。これにより、各第１の端子１と各第２の端子３が互いにピッチ変換基板６の各導電パターン６ａを介して導通する。
【００２０】
また、各第１の端子１と各第２の端子３との接続を解除する場合は、第１のハウジング２と第２のハウジング４とを引き離すことにより、各第１の端子１とピッチ変換基板６との接続が解除される。その際、ピッチ変換基板６の係止部６ｂと中間ハウジング５の凹部５ｂの上面５ｂ′との係止により、ピッチ変換基板６の第２の端子３との接続解除方向への移動が規制されることから、ピッチ変換基板６が第２の端子３から外れることがない。
【００２１】
このように、本実施形態のピッチ変換用コネクタによれば、ピッチ変換基板６を表面に各端子１，３に接触する複数の導電パターン６ａを形成することによって各導電パターン６ａを介して各第１の端子１と各第２の端子３とを互いに導通するようにしたので、ピッチ変換基板６を複数の部品によって形成する必要がなく、構造が簡単で安価に製造することができる。従って、低コスト化及び生産性の向上を図ることができ、例えば変換ピッチの異なる複数種類のピッチ変換基板６を生産する場合には極めて有利である。
【００２２】
この場合、ピッチ変換基板６を各導電パターン６ａを有するプリント基板によって形成するようにしたので、ピッチ変換基板６を一般の回路基板と同様に製造することができ、生産性の向上に極めて有利である。
【００２３】
また、ピッチ変換基板６に設けた係止部６ｂを中間ハウジング５の凹部５ｂの上面５ｂ′に係止することにより、ピッチ変換基板６の第２の端子３との接続解除方向への移動を規制するようにしたので、各端子１，３の接続を解除する際、ピッチ変換基板６が第２の端子３から外れることがなく、ピッチ変換基板６を第２のハウジング４側に確実に保持することができ、第１の端子１及び第２の端子３の接続及び接続解除作業を常に支障なく行うことができる。
【００２４】
【発明の効果】
以上説明したように、請求項１のピッチ変換用コネクタによれば、ピッチ変換基板を複数の部品によって形成する必要がないので、構造が簡単で安価に製造することができる。従って、低コスト化及び生産性の向上を図ることができ、例えば変換ピッチの異なる複数種類のピッチ変換基板を生産する場合には極めて有利である。
【００２５】
また、請求項２のピッチ変換用コネクタによれば、請求項１の効果に加え、ピッチ変換基板を一般の回路基板と同様に製造することができるので、生産性の向上に極めて有利である。
【００２６】
また、請求項３のピッチ変換用コネクタによれば、請求項１または２の効果に加え、第１の端子及び第２の端子の接続を解除する際、ピッチ変換基板が第２の端子から外れることがないので、ピッチ変換基板を第２のハウジング側に確実に保持することができ、第１の端子及び第２の端子の接続及び接続解除作業を常に支障なく行うことができる。
【図面の簡単な説明】
【図１】本発明の一実施形態を示すピッチ変換用コネクタの側面断面図
【図２】ピッチ変換用コネクタの要部正面断面図
【図３】ピッチ変換用コネクタの分解側面断面図
【符号の説明】
１…第１の端子、２…第１のハウジング、３…第２の端子、４…第２のハウジング、５…中間ハウジング、６…ピッチ変換基板、６ａ…導電パターン、６ｂ…係止部、Ａ，Ｂ…基板。
【図１】
2004335258.tif 000003
【図２】
2004335258.tif 000004
【図３】
2004335258.tif 000005